(57)【要約】【課題】本体部からレンズ部が突出するカメラを保護するものであって、デザイン性を高くすることのできるカメラケースを提供する。【解決手段】本体部５１に筒状のレンズ部５２を有するカメラ５０を収納自在なカメラ収納部１と、カメラ収納部１に取付けられる装飾部２と、カメラ収納部１から伸びる肩掛け部３とを有し、カメラ収納部１は、カメラ５０の本体部５１を収納する本体収納部１０と、本体収納部１０と連通しカメラ５０のレンズ部５２を収納するレンズ収納部１１とを有し、レンズ収納部１１は本体収納部１０から突出自在とされ、装飾部２はカメラ収納部１のうちレンズ収納部１１を有する側を覆うと共に、レンズ収納部１１を露出させるリング状に形成される。【選択図】図１
2013102996.tif 000002
【特許請求の範囲】
【請求項１】
本体部に筒状のレンズ部を有するカメラを収納自在なカメラ収納部と、該カメラ収納部に取付けられる装飾部と、前記カメラ収納部から伸びる肩掛け部とを有するカメラケースであって、
前記カメラ収納部は、前記カメラの本体部を収納する本体収納部と、該本体収納部と連通し前記カメラのレンズ部を収納するレンズ収納部とを有し、該レンズ収納部は前記本体収納部から突出自在とされ、
前記装飾部は前記カメラ収納部のうち前記レンズ収納部を有する側を覆うと共に、前記レンズ収納部を露出させるリング状に形成されることを特徴とするカメラケース。
【請求項２】
前記カメラ収納部と装飾部は軟質材からなることを特徴とする請求項１記載のカメラケース。
【請求項３】
前記カメラ収納部はクッション性を有する布材からなることを特徴とする請求項２記載のカメラケース。
【請求項４】
前記カメラ収納部は筒状に形成され、両側に開口を有することを特徴とする請求項１〜３のいずれか１項に記載のカメラケース。
【請求項５】
前記肩掛け部は前記カメラ収納部の一方の開口側に固定される第１の紐部と、前記カメラ収納部の他方の開口側に固定される第２の紐部とからなり、前記第１の紐部と第２の紐部は、それぞれ前記カメラに対して固定自在なカメラ固定部を有することを特徴とする請求項４記載のカメラケース。
【発明の詳細な説明】
【技術分野】
【０００１】
本発明は、レンズを有するカメラを収納して肩から掛けることのできるカメラケースに関し、特にカメラを収納する部分の外側を装飾して意匠性を高くしたカメラケースに関する。
【背景技術】
【０００２】
カメラを持ち歩く際に、カメラを傷付けたり落としたりすることを防止するため、これを収納できるカメラケースが広く用いられている。カメラケースは、カメラを収納できる硬質あるいは軟質の部材からなる収納部を有し、この収納部にさらにストラップなどが取付けられて、手で持ったり肩に掛けたりすることが可能となるように構成されている。このようなカメラケースとしては、例えば特許文献１に挙げるようなものがある。
【先行技術文献】
【特許文献】
【０００３】
【特許文献１】特開２００９−４５１６０号公報
【発明の概要】
【発明が解決しようとする課題】
【０００４】
従来のカメラケースは、実用性が重視されており、一見してカメラを収納するケースであることが分かるようなデザインのものが多かった。しかし、最近では女性もカメラを持つ機会が多くなってきたことに伴い、デザイン性の高いカメラケースも求められるようになった。
【０００５】
また、従来はコンパクトカメラが小型で気軽に撮影できるカメラで、一眼カメラが大型でより本格的な撮影を行うカメラとして棲み分けがなされていたが、最近、より小型でかつ本格的な撮影も行うことのできる一眼カメラも販売されている。コンパクトカメラでは、カメラの本体部からレンズ部が突出したものは少ないが、一眼カメラにおいては、カメラの本体部からレンズ部が突出しているため、カメラケースもそれに沿った形状とすることで、レンズ部を確実に保護できるようにしている。しかし、カメラケースを突出するレンズ部に沿う形状とすると、デザイン的な制約が大きく、女性に好まれるデザインとすることが困難であった。
【０００６】
本発明は前記課題を鑑みてなされたものであり、本体部からレンズ部が突出するカメラを保護するものであって、デザイン性を高くすることのできるカメラケースを提供することを目的とする。
【課題を解決するための手段】
【０００７】
前記課題を解決するため、本発明に係るカメラケースは、本体部に筒状のレンズ部を有するカメラを収納自在なカメラ収納部と、該カメラ収納部に取付けられる装飾部と、前記カメラ収納部から伸びる肩掛け部とを有するカメラケースであって、
前記カメラ収納部は、前記カメラの本体部を収納する本体収納部と、該本体収納部と連通し前記カメラのレンズ部を収納するレンズ収納部とを有し、該レンズ収納部は前記本体収納部から突出自在とされ、
前記装飾部は前記カメラ収納部のうち前記レンズ収納部を有する側を覆うと共に、前記レンズ収納部を露出させるリング状に形成されることを特徴として構成されている。
【０００８】
また、本発明に係るカメラケースは、前記カメラ収納部と装飾部は軟質材からなることを特徴として構成されている。
【０００９】
さらに、本発明に係るカメラケースは、前記カメラ収納部はクッション性を有する布材からなることを特徴として構成されている。
【００１０】
さらにまた、本発明に係るカメラケースは、前記カメラ収納部は筒状に形成され、両側に開口を有することを特徴として構成されている。
【００１１】
そして、本発明に係るカメラケースは、前記肩掛け部は前記カメラ収納部の一方の開口側に固定される第１の紐部と、前記カメラ収納部の他方の開口側に固定される第２の紐部とからなり、前記第１の紐部と第２の紐部は、それぞれ前記カメラに対して固定自在なカメラ固定部を有することを特徴として構成されている。
【発明の効果】
【００１２】
本発明に係るカメラケースによれば、カメラ収納部は、カメラの本体部を収納する本体収納部と、本体収納部と連通しカメラのレンズ部を収納するレンズ収納部とを有し、レンズ収納部は本体収納部から突出自在とされ、装飾部はカメラ収納部のうちレンズ収納部を有する側を覆うと共に、レンズ収納部を露出させるリング状に形成されることにより、レンズ部が突出したカメラをカメラ収納部に収納しつつ、カメラの形状を目立たせることなくデザイン性を高くすることができる。
【００１３】
また、本発明に係るカメラケースによれば、カメラ収納部と装飾部は軟質材からなることにより、肩に掛けて持ち歩きしやすくすることができる。
【００１４】
さらに、本発明に係るカメラケースによれば、カメラ収納部はクッション性を有する布材からなることにより、カメラに対する衝撃を吸収して確実に保護を図ることができる。
【００１５】
さらにまた、本発明に係るカメラケースによれば、カメラ収納部は筒状に形成され、両側に開口を有することにより、カメラ収納部の構造を簡単にして、製造も容易にすることができる。
【００１６】
そして、本発明に係るカメラケースによれば、肩掛け部はカメラ収納部の一方の開口側に固定される第１の紐部と、カメラ収納部の他方の開口側に固定される第２の紐部とからなり、第１の紐部と第２の紐部は、それぞれカメラに対して固定自在なカメラ固定部を有することにより、カメラを両吊り状として確実に保持すると共に、肩掛け部を肩に掛けた際に、装飾部を確実に露出させることができて、ファッション性を高くすることができる。
【図面の簡単な説明】
【００１７】
【図１】本実施形態のカメラケースの使用時における斜視図である。
【図２】カメラケースの正面図である。
【図３】カメラケースを本体収納部の側方から見た側面図である。
【図４】カメラケースを本体収納部の正面側から見た側面図である。
【図５】図２のＡ−Ａ端面図である。
【発明を実施するための形態】
【００１８】
本発明の実施形態について図面に沿って詳細に説明する。図１には、本実施形態のカメラケースの使用時における斜視図を示している。この図では、カメラ５０にカメラケースを装着しようとする状態を表している。カメラ５０は、本体部５１から筒状に突出するレンズ部５２を有してなり、カメラケースはカメラ５０の本体部５１及びレンズ部５２を収納できるように構成されている。
【００１９】
カメラケースは、カメラ５０を収納することのできるカメラ収納部１と、カメラ収納部１に取付けられてこれを装飾する装飾部２と、カメラ収納部１から伸びる肩掛け部３とからなっている。カメラ収納部１と装飾部２は、軟質部材である布材によって形成されており、特にカメラ収納部１は、衝撃を吸収してカメラ５０を破損しないように、クッション性を有する布材によって形成されている。
【００２０】
図２にはカメラケースの正面図を、図３にはカメラケースを本体収納部１０の側方から見た側面図を、図４にはカメラケースを本体収納部１０の正面側から見た側面図を、それぞれ示している。なお、これら各図では肩掛け部３を省略している。カメラ収納部１は、カメラ５０の本体部５１を収納する筒状の本体収納部１０と、本体収納部１０と連通しカメラ５０のレンズ部５２を収納するレンズ収納部１１とを有して構成されている。
【００２１】
本体収納部１０は、筒状に形成されているから、両側にそれぞれ開口部１２を有しており、カメラ５０を出し入れ自在としている。レンズ収納部１１は、本体収納部１０の一方側の周面から大きく張り出すように形成されていることにより、本体収納部１０から突出自在となっている。これにより、レンズ収納部１１は、カメラ５０の本体部５１から突出するレンズ部５２を収納することができる。
【００２２】
装飾部２は、布材をリング状としてなり、表面に多数のヒダを設けて凹凸状とし、花びらを模したようなデザインを施されているものであり、カメラ収納部１のうちレンズ収納部１１を有する側を覆うように設けられる。装飾部２のリング状により形成される中心の空間部には、カメラ収納部１のレンズ収納部１１が配置され、露出する。これにより、レンズ収納部１１を中心に装飾部２がリング状に配されることとなり、より花を模したデザインとすることができる。
【００２３】
装飾部２は、筒状に形成された布材を、中間位置の絞り部３０で絞って、その両側にそれぞれ多数のヒダを形成しつつ広げることにより、その形状を形成している。これにより、前面側に露出する前面部３１は花びらを模したシュシュのような形状となり、後面側も凹凸が形成されつつカメラ収納部１を覆う覆い部３２となる。
【００２４】
肩掛け部３は、図１に示すように、カメラ収納部１の一方の開口部１２付近に固定されて外部に向かって伸びる第１の紐部２０と、カメラ収納部１の他方の開口部１２付近に固定された外部に向かって伸びる第２の紐部２１とからなっている。第１の紐部２０は、先端側に根元側より細い先端紐部２０ａを備え、またその先端近傍には固定具２０ｂが設けられている。先端紐部２０ａをカメラ５０に設けられる固定部５３に通し、折り返して固定具２０ｂに固定することで、第１の紐部２０をカメラ５０に固定することができる。
【００２５】
第２の紐部２１も、先端側に根元側より細い先端紐部２１ａを備え、その先端近傍に固定具２１ｂが設けられている。図１では、第１の紐部２０をカメラ５０に固定し、第２の紐部２１はカメラ５０にまだ固定していない状態を表している。第２の紐部２１も、第１の紐部２０と同様に先端紐部２１ａと固定具２１ｂによってカメラ５０に固定することができる。これにより、カメラ５０は肩掛け部３によって両吊りの状態となり、カメラ５０を安定的に保持することができる。
【００２６】
図５には、カメラケースの端面図を示している。前述のように、カメラ収納部１はクッション性を有する布材によって形成されているので、若干の肉厚を有している。筒状の本体収納部１０は、前述のように一面側が大きく張り出しており、これによってレンズ収納部１１が形成されている。レンズ収納部１１は、本体収納部１０の内部と連通すると共に、カメラ５０のレンズ部５２を収納するのに十分な空間を形成する。
【００２７】
本実施形態のカメラケースは、このようにカメラ収納部１にレンズ収納部１１を突出自在に設け、レンズ収納部１１を囲むように花びらを模したリング状の装飾部２を設けてなることにより、レンズ部５２が突出したカメラ５０をカメラ収納部１に収納しつつ、カメラ５０の形状を目立たせることなくデザイン性を高くすることができる。
【００２８】
このカメラケースを使用するには、まず、肩掛け部３を構成する第１の紐部２０と第２の紐部２１をそれぞれカメラ５０に固定する。この状態で肩掛け部３を肩に掛けることにより、カメラ５０から手を離した状態で、カメラ５０を体に保持して携帯することができる。
【００２９】
カメラ５０を持ち歩く際には、カメラ５０をカメラ収納部１内に納めておく。これによって、カメラ５０を保護することができる。また、カメラ５０を露出させずにシュシュのような形状のバッグを肩に掛けているように見えるため、ファッション性も高くすることができる。
【００３０】
カメラ５０を使用する際には、カメラ５０をカメラ収納部１から取り出す。肩掛け部３は、第１の紐部２０が短く、第２の紐部２１が長く形成されているから、カメラ５０を構えた際には、カメラ収納部１及び装飾部２が、一方の手元にぶら下がった状態となる。このとき、装飾部２が手首付近に位置して、手首にシュシュを装着しているように見えるから、より女性に受け入れられやすいデザイン性を実現していると言える。
【００３１】
以上、本発明の実施形態について説明したが、本発明の適用は本実施形態には限られず、その技術的思想の範囲内において様々に適用されうるものである。また、本実施形態では、カメラケースにはレンズ部５２が突出するカメラ５０を収納して使用するものとしたが、レンズ部が突出しないカメラを収納することも、もちろん可能である。
【符号の説明】
【００３２】
１    カメラ収納部
２    装飾部
３    肩掛け部
１０    本体収納部
１１    レンズ収納部
１２    開口部
２０    第１の紐部
２０ａ  先端紐部
２０ｂ  固定具
２１    第２の紐部
２１ａ  先端紐部
２１ｂ  固定具
５０    カメラ
５１    本体部
５２    レンズ部
５３    固定部
【図１】
2013102996.tif 000003
【図２】
2013102996.tif 000004
【図３】
2013102996.tif 000005
【図４】
2013102996.tif 000006
【図５】
2013102996.tif 000007